(57)【要約】  ワイヤレス通信デバイスによって無線アクセス技術を探索するための方法について説明する。本方法は、１つまたは複数の無線アクセス技術の探索を開始することを含む。本方法は、ワイヤレス通信デバイスが低いモビリティを有するかどうかを決定することをも含む。本方法は、第１のイベントが発生したときに探索を中断することをも含む。本方法は、探索結果を記憶することをも含む。本方法は、第２のイベントが発生したときに探索結果に基づいて探索を再開することをさらに含む。【選択図】図２
2016504862.tif 000002
【特許請求の範囲】
【請求項１】
ワイヤレス通信デバイスによって無線アクセス技術を探索するための方法であって、
１つまたは複数の無線アクセス技術の探索を開始することと、
前記ワイヤレス通信デバイスが低いモビリティを有するかどうかを決定することと、
第１のイベントが発生したときに前記探索を中断することと、
探索結果を記憶することと、
第２のイベントが発生したときに前記探索結果に基づいて前記探索を再開することと
を備える、方法。
【請求項２】
前記第１のイベントは、ワイヤレス通信デバイス接続状態の変化である、
請求項１に記載の方法。
【請求項３】
前記第２のイベントは、ワイヤレス通信デバイス接続状態の変化である、
請求項１に記載の方法。
【請求項４】
前記第１のイベントは、前記ワイヤレス通信デバイスが低いモビリティを有するという決定である、
請求項１に記載の方法。
【請求項５】
前記第２のイベントは、接続不連続受信が構成され、アクティブであるという決定である、
請求項１に記載の方法。
【請求項６】
前記第２のイベントは、無線リソース制御接続のリリースである、
請求項１に記載の方法。
【請求項７】
ワイヤレス通信デバイス接続状態を決定することをさらに備える、
請求項１に記載の方法。
【請求項８】
第３のイベントが発生したときに前記探索を停止することと、
前記探索結果を出力することと
をさらに備える、請求項１に記載の方法。
【請求項９】
前記第３のイベントは、時間間隔の満了である、
請求項８に記載の方法。
【請求項１０】
前記第３のイベントは、高いまたは中間のワイヤレス通信デバイスモビリティの決定である、
請求項８に記載の方法。
【請求項１１】
接続が要求されているかどうかを決定することと、
接続が要求されていないときに前記探索を続けることと
をさらに備える、請求項１に記載の方法。
【請求項１２】
無線アクセス技術を探索するためのワイヤレス通信デバイスであって、
１つまたは複数の無線アクセス技術の探索を開始する探索回路と、
前記探索回路に結合されたモビリティ決定回路と、ここにおいて、前記モビリティ決定回路は、前記ワイヤレス通信デバイスが低いモビリティを有するかどうかを決定する、
前記モビリティ決定回路に結合されたイベント検出回路と、ここにおいて、前記イベント検出回路は、第１のイベントが発生したときに前記探索を中断し、第２のイベントが発生したときに探索結果に基づいて前記探索を再開する、
前記探索回路に結合されたメモリと、ここにおいて、前記メモリが前記探索結果を記憶する
を備える、ワイヤレス通信デバイス。
【請求項１３】
前記第１のイベントは、ワイヤレス通信デバイス接続状態の変化である、
請求項１２に記載のワイヤレス通信デバイス。
【請求項１４】
前記第２のイベントは、ワイヤレス通信デバイス接続状態の変化である、
請求項１２に記載のワイヤレス通信デバイス。
【請求項１５】
前記第１のイベントは、前記ワイヤレス通信デバイスが低いモビリティを有するという決定である、
請求項１２に記載のワイヤレス通信デバイス。
【請求項１６】
前記第２のイベントは、接続不連続受信が構成され、アクティブであるという決定である、
請求項１２に記載のワイヤレス通信デバイス。
【請求項１７】
前記第２のイベントは、無線リソース制御接続のリリースである、
請求項１２に記載のワイヤレス通信デバイス。
【請求項１８】
前記イベント検出回路に結合された状態検出回路をさらに備え、ここにおいて、前記状態検出回路がワイヤレス通信デバイス接続状態を決定する、
請求項１２に記載のワイヤレス通信デバイス。
【請求項１９】
前記イベント検出回路は、第３のイベントが発生したときに前記探索を停止し、
前記探索回路は、前記探索結果を出力する、
請求項１２に記載のワイヤレス通信デバイス。
【請求項２０】
前記第３のイベントは、時間間隔の満了である、
請求項１９に記載のワイヤレス通信デバイス。
【請求項２１】
前記第３のイベントは、高いまたは中間のワイヤレス通信デバイスモビリティの決定である、
請求項１９に記載のワイヤレス通信デバイス。
【請求項２２】
前記探索回路に結合された状態検出回路をさらに備え、
前記状態検出回路は、接続が要求されているかどうかを決定し、
前記探索回路は、接続が要求されていないときに前記探索を続ける、
請求項１２に記載のワイヤレス通信デバイス。
【請求項２３】
命令をその上に有する非一時的有形コンピュータ可読媒体を備える、無線アクセス技術を探索するためのコンピュータプログラム製品であって、前記命令は、
ワイヤレス通信デバイスに、１つまたは複数の無線アクセス技術の探索を開始することを行わせるためのコードと、
前記ワイヤレス通信デバイスに、前記ワイヤレス通信デバイスが低いモビリティを有するかどうかを決定することを行わせるためのコードと、
前記ワイヤレス通信デバイスに、第１のイベントが発生したときに前記探索を中断することを行わせるためのコードと、
前記ワイヤレス通信デバイスに、探索結果を記憶することを行わせるためのコードと、
前記ワイヤレス通信デバイスに、第２のイベントが発生したときに前記探索結果に基づいて前記探索を再開することを行わせるためのコードと
を備える、コンピュータプログラム製品。
【請求項２４】
前記第１のイベントは、ワイヤレス通信デバイス接続状態の変化である、
請求項２３に記載のコンピュータプログラム製品。
【請求項２５】
前記第２のイベントは、ワイヤレス通信デバイス接続状態の変化である、
請求項２３に記載のコンピュータプログラム製品。
【請求項２６】
前記第１のイベントは、前記ワイヤレス通信デバイスが低いモビリティを有するという決定である、
請求項２３に記載のコンピュータプログラム製品。
【請求項２７】
前記第２のイベントは、接続不連続受信が構成され、アクティブであるという決定である、
請求項２３に記載のコンピュータプログラム製品。
【請求項２８】
前記第２のイベントは、無線リソース制御接続のリリースである、
請求項２３に記載のコンピュータプログラム製品。
【請求項２９】
前記命令は、前記ワイヤレス通信デバイスに、ワイヤレス通信デバイス接続状態を決定することを行わせるためのコードをさらに備える、
請求項２３に記載のコンピュータプログラム製品。
【請求項３０】
前記命令は、
前記ワイヤレス通信デバイスに、第３のイベントが発生したときに前記探索を停止することを行わせるためのコードと、
前記ワイヤレス通信デバイスに、前記探索結果を出力することを行わせるためのコードと
をさらに備える、請求項２３に記載のコンピュータプログラム製品。
【請求項３１】
前記第３のイベントは、時間間隔の満了である、
請求項３０に記載のコンピュータプログラム製品。
【請求項３２】
前記第３のイベントは、高いまたは中間のワイヤレス通信デバイスモビリティの決定である、
請求項３０に記載のコンピュータプログラム製品。
【請求項３３】
前記命令は、
前記ワイヤレス通信デバイスに、接続が要求されているかどうかを決定することを行わせるためのコードと、
前記ワイヤレス通信デバイスに、接続が要求されていないときに前記探索を続けることを行わせるためのコードと
をさらに備える、請求項２３に記載のコンピュータプログラム製品。
【請求項３４】
無線アクセス技術を探索するための装置であって、
１つまたは複数の無線アクセス技術の探索を開始するための手段と、
前記装置が低いモビリティを有するかどうかを決定するための手段と、
第１のイベントが発生したときに前記探索を中断するための手段と、
探索結果を記憶するための手段と、
第２のイベントが発生したときに前記探索結果に基づいて前記探索を再開するための手段と
を備える、装置。
【請求項３５】
前記第１のイベントは、装置接続状態の変化である、
請求項３４に記載の装置。
【請求項３６】
前記第２のイベントは、装置接続状態の変化である、
請求項３４に記載の装置。
【請求項３７】
前記第１のイベントは、前記装置が低いモビリティを有するという決定である、
請求項３４に記載の装置。
【請求項３８】
前記第２のイベントは、接続不連続受信が構成され、アクティブであるという決定である、
請求項３４に記載の装置。
【請求項３９】
前記第２のイベントは、無線リソース制御接続のリリースである、
請求項３４に記載の装置。
【請求項４０】
装置接続状態を決定するための手段をさらに備える、
請求項３４に記載の装置。
【請求項４１】
第３のイベントが発生したときに前記探索を停止するための手段と、
前記探索結果を出力するための手段と
をさらに備える、請求項３４に記載の装置。
【請求項４２】
前記第３のイベントは、時間間隔の満了である、
請求項４１に記載の装置。
【請求項４３】
前記第３のイベントは、高いまたは中間の装置モビリティの決定である、
請求項４１に記載の装置。
【請求項４４】
接続が要求されているかどうかを決定するための手段と、
接続が要求されていないときに前記探索を続けるための手段と
をさらに備える、請求項３４に記載の装置。
【発明の詳細な説明】
【技術分野】
【０００１】
[0001]本開示は、一般に通信システムに関する。より詳細には、本開示は、無線アクセス技術を探索するためのシステムおよび方法に関する。
【背景技術】
【０００２】
[0002]通信システムは、データ、音声、ビデオなど、様々なタイプの通信コンテンツを提供するために広く展開されている。これらのシステムは、１つまたは複数の他の通信デバイス（たとえば、基地局、アクセスポイントなど）との複数の通信デバイス（たとえば、ワイヤレス通信デバイス、アクセス端末など）の同時通信をサポートすることが可能な多元接続システムであり得る。いくつかの通信デバイス（たとえば、アクセス端末、ラップトップコンピュータ、スマートフォン、メディアプレーヤ、ゲームデバイスなど）は他の通信デバイスとワイヤレス通信し得る。
【０００３】
[0003]最近の数十年で、ワイヤレス通信デバイスの使用は一般的になった。特に、電子技術の進歩は、ますます複雑で有用になるワイヤレス通信デバイスのコストを低減した。コスト低減および消費者需要により、ワイヤレス通信デバイスが現代社会において事実上ユビキタスであるほどワイヤレス通信デバイスの使用が激増した。ワイヤレス通信デバイスの使用が拡大するにつれて、ワイヤレス通信デバイスの新しい改善された特徴に対する需要も拡大した。
【０００４】
[0004]ワイヤレス通信デバイスがより広く展開されるようになるにつれて、利用可能な無線アクセス技術の数も増加している。しかしながら、無線アクセス技術を探索するときに非効率性が生じ得る。したがって、これらの非効率性を低減するのを助け得るシステムおよび方法が有益であり得る。
【発明の概要】
【０００５】
[0005]ワイヤレス通信デバイスによって無線アクセス技術を探索するための方法について説明する。本方法は、１つまたは複数の無線アクセス技術の探索を開始することを含む。本方法は、ワイヤレス通信デバイスが低いモビリティ（mobility）を有するかどうかを決定することをも含む。本方法は、第１のイベントが発生したときに探索を中断することをさらに含む。本方法は、探索結果を記憶することをさらに含む。本方法は、第２のイベントが発生したときに探索結果に基づいて探索を再開することをも含む。
【０００６】
[0006]第１のイベントはワイヤレス通信デバイス接続状態の変化であり得る。第１のイベントは、ワイヤレス通信デバイスが低いモビリティを有するという決定であり得る。第２のイベントはワイヤレス通信デバイス接続状態の変化であり得る。第２のイベントは、接続不連続受信が構成され、アクティブであるという決定であり得る。第２のイベントは無線リソース制御接続のリリースであり得る。
【０００７】
[0007]本方法は、ワイヤレス通信デバイス接続状態を決定することを含み得る。本方法は、第３のイベントが発生したときに探索を停止することを含み得る。本方法は、探索結果を出力することをも含み得る。第３のイベントは時間間隔の満了であり得る。第３のイベントは、高いまたは中間のワイヤレス通信デバイスモビリティの決定であり得る。
【０００８】
[0008]本方法は、接続が要求されているかどうかを決定することを含み得る。本方法は、接続が要求されていないときに探索を続けることをも含み得る。
【０００９】
[0009]無線アクセス技術を探索するためのワイヤレス通信デバイスについて説明する。本ワイヤレス通信デバイスは、１つまたは複数の無線アクセス技術の探索を開始する探索回路を含む。本ワイヤレス通信デバイスは、探索回路に結合されたモビリティ決定回路をも含む。モビリティ決定回路は、本ワイヤレス通信デバイスが低いモビリティを有するかどうかを決定する。本ワイヤレス通信デバイスは、モビリティ決定回路に結合されたイベント検出回路をも含む。イベント検出回路は、第１のイベントが発生したときに探索を中断し、第２のイベントが発生したときに探索結果に基づいて探索を再開する。本ワイヤレス通信デバイスは、探索回路に結合されたメモリをさらに含む。メモリは探索結果を記憶する。
【００１０】
[0010]無線アクセス技術を探索するためのコンピュータプログラム製品について説明する。本コンピュータプログラム製品は、命令をその上に有する非一時的有形コンピュータ可読媒体を含む。命令は、ワイヤレス通信デバイスに、１つまたは複数の無線アクセス技術の探索を開始することを行わせるためのコードを含む。命令は、ワイヤレス通信デバイスに、ワイヤレス通信デバイスが低いモビリティを有するかどうかを決定することを行わせるためのコードをも含む。命令は、ワイヤレス通信デバイスに、第１のイベントが発生したときに探索を中断することを行わせるためのコードをさらに含む。命令は、ワイヤレス通信デバイスに、探索結果を記憶することを行わせるためのコードをさらに含む。命令は、ワイヤレス通信デバイスに、第２のイベントが発生したときに探索結果に基づいて探索を再開することを行わせるためのコードをさらに含む。
【００１１】
[0011]無線アクセス技術を探索するための装置についても説明する。本装置は、１つまたは複数の無線アクセス技術の探索を開始するための手段を含む。本装置は、本装置が低いモビリティを有するかどうかを決定するための手段をも含む。本装置は、第１のイベントが発生したときに探索を中断するための手段をさらに含む。本装置は、探索結果を記憶するための手段をさらに含む。本装置は、第２のイベントが発生したときに探索結果に基づいて探索を再開するための手段をも含む。
【図面の簡単な説明】
【００１２】
【図１】[0012]無線アクセス技術を探索するためのシステムおよび方法が実装され得る、ワイヤレス通信デバイスと１つまたは複数の無線アクセス技術との１つの構成を示すブロック図。
【図２】[0013]無線アクセス技術を探索するための方法の１つの構成を示すフローチャート。
【図３】[0014]無線アクセス技術の探索が実施され得る、ワイヤレス通信デバイスと１つまたは複数の無線アクセス技術カバレージエリアとの１つの構成を示すブロック図。
【図４】[0015]無線アクセス技術を探索するためのシステムおよび方法が実装され得る、ワイヤレス通信デバイスと１つまたは複数の無線アクセス技術との別の構成を示すブロック図。
【図５】[0016]無線アクセス技術を探索するための方法の別の構成を示すフローチャート。
【図６】[0017]無線アクセス技術を探索するための方法の別の構成を示すフローチャート。
【図７】[0018]無線アクセス技術を探索するための方法の別の構成を示すフローチャート。
【図８】[0019]無線アクセス技術を探索するためのシステムおよび方法が実装され得る、ユーザ機器と１つまたは複数の無線アクセス技術との１つの構成を示すブロック図。
【図９】[0020]ユーザ機器と、ユーザ機器がデータサービスおよび／またはボイスサービスのために利用し得るコアネットワークとの間の様々なタイプの接続性を示すブロック図。
【図１０】[0021]ワイヤレス通信デバイス内に含まれ得るいくつかの構成要素を示す図。
【発明を実施するための形態】
【００１３】
[0022]通信デバイスの例としては、セルラー電話基地局またはノード、アクセスポイント、ワイヤレスゲートウェイおよびワイヤレスルータがある。通信デバイスは、第３世代パートナーシッププロジェクト（３ＧＰＰ:Third Generation Partnership Project）ロングタームエボリューション（ＬＴＥ:Long Term Evolution）規格など、いくつかの業界規格に従って動作し得る。通信デバイスが準拠し得る規格の他の例としては、電気電子技術者協会（ＩＥＥＥ：Institute of Electrical and Electronics Engineers）８０２．１１ａ、８０２．１１ｂ、８０２．１１ｇ、８０２．１１ｎおよび／または８０２．１１ａｃ（たとえば、ワイヤレスフィデリティ（Wireless Fidelity）または「Ｗｉ−Ｆｉ（登録商標）」）規格、ＩＥＥＥ８０２．１６（たとえば、ワールドワイドインターオペラビリティフォーマイクロウェーブアクセス（Worldwide Interoperability for Microwave Access）または「ＷｉＭＡＸ（登録商標）」）規格、ＣＤＭＡ２０００  １ｘ規格、エボリューションデータオプティマイズド（ＥＶＤＯ：Evolution-Data Optimized）規格、Ｉｎｔｅｒｉｍ  Ｓｔａｎｄａｒｄ  ９５（ＩＳ−９５）、発展型高速パケットデータ（ｅＨＲＰＤ：evolved High Rate Packet Data）無線規格などがある。いくつかの規格では、通信デバイスは、ノードＢ、発展型ノードＢなどと呼ばれることがある。本明細書で開示するシステムおよび方法のいくつかについて１つまたは複数の規格に関して説明することがあるが、これは、それらのシステムおよび方法が多くのシステムおよび／または規格に適用可能であり得るので、本開示の範囲を限定すべきではない。
【００１４】
[0023]第３世代パートナーシッププロジェクト（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイルテレコミュニケーションズシステム（ＵＭＴＳ：Universal Mobile Telecommunications System）モバイルフォン規格を改善することを目的とした３ＧＰＰプロジェクトである。３ＧＰＰは、次世代のモバイルネットワーク、モバイルシステムおよびモバイルデバイスのための仕様を定義し得る。
【００１５】
[0024]いくつかの通信デバイス（たとえば、アクセス端末、クライアントデバイス、クライアント局など）は他の通信デバイスとワイヤレス通信し得る。いくつかの通信デバイス（たとえば、ワイヤレス通信デバイス）は、モバイルデバイス、移動局、加入者局、クライアント、クライアント局、ユーザ機器（ＵＥ）、リモート局、アクセス端末、モバイル端末、端末、ユーザ端末、加入者ユニットなどと呼ばれることがある。通信デバイスのさらなる例としては、ラップトップまたはデスクトップコンピュータ、セルラーフォン、スマートフォン、ワイヤレスモデム、電子リーダー、タブレットデバイス、ゲームシステムなどがある。これらの通信デバイスのうちのいくつかは、上記で説明したように１つまたは複数の業界規格に従って動作し得る。したがって、「通信デバイス」という一般的な用語は、業界規格に応じて異なる名称で説明される通信デバイス（たとえば、アクセス端末、ユーザ機器、リモート端末、アクセスポイント、基地局、ノードＢ、発展型ノードＢなど）を含み得る。
【００１６】
[0025]いくつかの通信デバイスは、通信ネットワークへのアクセスを行うことが可能であり得る。通信ネットワークの例としては、限定はしないが、電話網（たとえば、公衆交換電話網（ＰＳＴＮ）などの「ランドライン」ネットワークまたはセルラーフォンネットワーク）、インターネット、ローカルエリアネットワーク（ＬＡＮ）、ワイドエリアネットワーク（ＷＡＮ）、メトロポリタンエリアネットワーク（ＭＡＮ）などがある。
【００１７】
[0026]「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、Ｗ−ＣＤＭＡ（登録商標）と低チップレート（ＬＣＲ）とを含み、ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡおよびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびロングタームエボリューション（ＬＴＥ）は、「第３世代パートナーシッププロジェクト」（３ＧＰＰ）と称する団体からの文書に記載されており、ｃｄｍａ２０００は、「第３世代パートナーシッププロジェクト２」（３ＧＰＰ２：3rd Generation Partnership Project 2）と称する団体からの文書に記載されている。
【００１８】
[0027]探索することは、ユーザ機器が、限られたスパンの時間内に複数の無線アクセス技術（たとえば、ＲＡＴ）を探索するので、より複雑になった。ロングタームエボリューション（ＬＴＥ）が、データ中心の技術であり、それの上のアプリケーションがデータを必要とし得るワイヤレス通信デバイス上で動作し得る（たとえば、ユーザ機器が、大部分の時間の間、接続状態（connected state）にある）ので、ロングタームエボリューション（ＬＴＥ）における探索は、ユーザに結果をもたらすように最適化され得る。
【００１９】
[0028]本明細書で使用する「探索」という用語は、１つまたは複数の無線アクセス技術の存在を発見するための動作を示す。たとえば、探索は、１つまたは複数の無線アクセス技術の存在を発見するための試みにおいて１つまたは複数の周波数帯域をスキャンすることを含み得る。たとえば、探索することは、無線アクセス技術の存在を示す、１つまたは複数の周波数帯域におけるビーコンまたは信号を受信することを試みることを含み得る。追加または代替として、探索することは、無線アクセス技術の存在を示す応答を促すために１つまたは複数の周波数帯域上で信号を送ることを含み得る。
【００２０】
[0029]本明細書で開示するシステムおよび方法のいくつかの構成は、ロングタームエボリューション（ＬＴＥ）において探索するための方法を表し得る。１つの構成では、ユーザ機器が、接続サイクルにわたって探索を中断／再開することが可能であり得る。ユーザ機器はまた、接続不連続受信（Ｃ−ＤＲＸ）が構成され、アクティブである場合、ロングタームエボリューション（ＬＴＥ）接続状態中に探索を実施することが可能であり得る。ユーザ機器はまた、モビリティ状態を決定し、適切なアクションをとることが可能であり得る。たとえば、低モビリティシナリオでは、および接続不連続受信が構成されたとき、ワイヤレス通信デバイスは、無線リソース制御（ＲＲＣ）状態変化なしに探索を中断および／または再開し得る。言い換えれば、ワイヤレス通信デバイスが接続状態にあり、接続不連続受信が構成され、アクティブであるとき、ワイヤレス通信デバイスは、非ギャップ期間において探索を中断し、ギャップ期間において探索を再開し得る。
【００２１】
[0030]次に、図を参照しながら様々な構成について説明する。同様の参照番号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。図に示される特徴および／または要素は、１つまたは複数の他の図に示される１つまたは複数の特徴および／または要素と組み合わせられ得る。
【００２２】
[0031]図１は、無線アクセス技術１０４（たとえば、ＲＡＴ）を探索するためのシステムおよび方法が実装され得る、ワイヤレス通信デバイス１０２と１つまたは複数の無線アクセス技術１０４との１つの構成を示すブロック図である。基地局１０６は、１つまたは複数のワイヤレス通信デバイス１０２と通信し得るデバイスである。基地局１０６は、アクセスポイント、ブロードキャスト送信機、ノードＢ、発展型ノードＢなどと呼ばれることもあり、それらの機能の一部または全部を含み得る。各基地局１０６は、特定の地理的エリアに通信カバレージを与え得る。基地局１０６は、１つまたは複数のワイヤレス通信デバイス１０２に通信カバレージを与え得る。「セル」という用語は、この用語が使用されるコンテキストに応じて基地局１０６および／またはそれのカバレージエリアを指すことがある。基地局１０６の例としては、セルラーフォン基地局、アクセスポイントなどがある。
【００２３】
[0032]ワイヤレス通信デバイス１０２は、端末、アクセス端末、加入者ユニット、局、ユーザ機器などと呼ばれることもあり、それらの機能の一部または全部を含み得る。ワイヤレス通信デバイス１０２の例としては、セルラーフォン、携帯情報端末（ＰＤＡ）、ワイヤレスデバイス、ワイヤレスモデム、ハンドヘルドデバイス、ラップトップコンピュータ、セッション開始プロトコル（ＳＩＰ）フォン、ワイヤレスローカルループ（ＷＬＬ）局などがあり得る。
【００２４】
[0033]ワイヤレス通信デバイス１０２は、所与の瞬間において、ダウンリンク１９６および／またはアップリンク１９８上で１つまたは複数の基地局１０６と通信し得る。ダウンリンク１９６（または順方向リンク）は、基地局１０６からワイヤレス通信デバイス１０２への通信リンクを指し、アップリンク１９８（または逆方向リンク）は、ワイヤレス通信デバイス１０２から基地局１０６への通信リンクを指す。
【００２５】
[0034]ワイヤレス通信デバイス１０２は、１つまたは複数の無線アクセス技術１０４の一部としての１つまたは複数の基地局１０６と通信することが可能であり得る。無線アクセス技術１０４の例としては、モバイル通信用グローバルシステム（ＧＳＭ）、（ｃｄｍａ２０００  １ｘとしても知られる）１ｘ、高データレート（ＨＤＲ）、広帯域符号分割多元接続（Ｗ−ＣＤＭＡ）およびロングタームエボリューション（ＬＴＥ）がある。無線アクセス技術１０４のうちの１つまたは複数は異なるタイプのものであり得る。たとえば、第１の無線アクセス技術１０４がモバイル通信用グローバルシステム（ＧＳＭ）ネットワークを含み得る。この例では、第２の無線アクセス技術１０４がロングタームエボリューション（ＬＴＥ）ネットワークを含み得る。
【００２６】
[0035]ワイヤレス通信デバイス１０２と基地局１０６との間の通信は、ワイヤレスリンクを介した送信によって達成され得る。そのような通信リンクは、単入力単出力（ＳＩＳＯ）、多入力単出力（ＭＩＳＯ）または多入力多出力（ＭＩＭＯ）システムを介して確立され得る。多入力多出力システムは、それぞれ、データ伝送のための複数（ＮT）個の送信アンテナと複数（ＮR）個の受信アンテナとを装備した、（１つまたは複数の）送信機と（１つまたは複数の）受信機とを含む。単入力単出力システムおよび多入力単出力システムは多入力多出力システムの特定の事例である。複数の送信アンテナおよび受信アンテナによって生成された追加の次元数が利用された場合、多入力多出力システムは、改善されたパフォーマンス（たとえば、より高いスループット、より大きい容量、または改善された信頼性）を与えることができる。
【００２７】
[0036]ワイヤレス通信デバイス１０２は、イベント検出ブロック／モジュール１０８、探索ブロック／モジュール１１０および／またはメモリ１１２を含み得る。場合によっては、ワイヤレス通信デバイス１０２はモビリティ決定ブロック／モジュール１１８を含み得る。本明細書で使用する「ブロック／モジュール」という用語は、特定の要素がハードウェア、ソフトウェア、ファームウェアまたはそれらの組合せで実装され得ることを示し得る。たとえば、イベント検出ブロック／モジュール１０８は、回路、ソフトウェアまたは両方の組合せで実装され得る。また、図１に示された要素のうちの１つまたは複数は、いくつかの構成では回路（たとえば、集積回路）で実装され得ることに留意されたい。
【００２８】
[0037]探索ブロック／モジュール１１０は、１つまたは複数の無線アクセス技術１０４の探索を開始し得る。無線アクセス技術の例としては、限定はしないが、１ｘ、モバイル通信用グローバルシステム（ＧＳＭ）、広帯域符号分割多元接続（Ｗ−ＣＤＭＡ）およびロングタームエボリューション（ＬＴＥ）ネットワークがある。いくつかの実装形態では、探索ブロック／モジュール１１０はホーム基地局（たとえば、ＨｅＮＢ）よりも多くを探索し得る。たとえば、探索ブロック／モジュール１１０は、（たとえば、ワイヤレス通信デバイス１０２がそれと通信することが可能である）すべてのパブリックランドモバイルネットワーク（ＰＬＭＮ：public land mobile network）を探索し得る。探索ブロック／モジュール１１０はその探索を開始またはトリガし得る。いくつかの構成では、探索は自動探索（たとえば、ベターシステム再選択（ＢＳＲ：better system reselection）スキャン、収集スキャン、オフ周波数スキャン、サイレントリダイヤルスキャン、セル再選択など）であり得る。代替的に、探索は（たとえば、ユーザ入力に基づく）手動探索であり得る。たとえば、ユーザが、（たとえば、ボタンをプッシュすることによって）ディスプレイを介して探索を開始するように探索ブロック／モジュール１１０に指示し得る。
【００２９】
[0038]いくつかの実装形態では、探索ブロック／モジュール１１０は、ロングタームエボリューション（ＬＴＥ）に基づいて探索を開始し得る。たとえば、探索ブロック／モジュール１１０は、１つまたは複数のロングタームエボリューション（ＬＴＥ）接続状態（たとえば、アイドルまたは接続）に基づいて探索を開始し得る。いくつかの実装形態では、探索は広帯域符号分割多元接続（Ｗ−ＣＤＭＡ）に基づかないことがある。より詳細には、探索は、１つまたは複数の広帯域符号分割多元接続（Ｗ−ＣＤＭＡ）接続状態（たとえば、ＣＥＬＬ−ＰＣＨ、ＵＲＡ＿ＰＣＨ、ＣＥＬＬ＿ＦＡＣＨおよびＣＥＬＬ＿ＤＣＨ）に基づかないことがある。同様に、探索はユニバーサルモバイルテレコミュニケーションズシステム（ＵＭＴＳ）に基づかないことがある。より詳細には、探索は、１つまたは複数のユニバーサルモバイルテレコミュニケーションズシステム（ＵＭＴＳ）接続状態（たとえば、ＯＯＳ状態）に基づかないことがある。
【００３０】
[0039]いくつかの構成では、探索ブロック／モジュール１１０は、場合によっては探索結果１１４を出力し得る。その結果は、探索を中断または停止すると、出力され得る。たとえば、時間間隔が満了した場合、探索ブロック／モジュール１１０は、探索を停止するように指示され得る。いくつかの構成では、探索ブロック／モジュール１１０は探索の結果を出力し得る。たとえば、探索ブロック／モジュール１１０はディスプレイ（図示せず）に結合され得る。この構成では、探索ブロック／モジュール１１０は、ユーザに提示されるように探索結果１１４をディスプレイに送り得る。いくつかの例では、ワイヤレス通信デバイス１０２は、特定の無線アクセス技術１０４に接続するために（たとえば、ユーザ入力を介して）指示を受信し得る。ワイヤレス通信デバイス１０２は、受信された指示に基づいて無線アクセス技術１０４を切り替え得る。代替的に、ワイヤレス通信デバイス１０２は、探索結果１１４に基づいて動作を自動的に実施し得る。たとえば、ワイヤレス通信デバイス１０２は、探索結果１１４によって示された無線アクセス技術１０４のうちの１つまたは複数に自動的に接続するかまたはそれにとどまり得る。追加または代替として、ワイヤレス通信デバイス１０２は、探索結果１１４に基づいて別の無線アクセス技術１０４から切断し得る。たとえば、ワイヤレス通信デバイス１０２は、１ｘネットワークからＬＴＥネットワークに切り替わり得る。別の例では、ワイヤレス通信デバイス１０２は、ＬＴＥネットワークに加えてＷｉ−Ｆｉネットワークに接続し得る。
【００３１】
[0040]上記で説明したように、ワイヤレス通信デバイス１０２は、場合によってはモビリティ決定ブロック／モジュール１１８を含み得る。モビリティ決定ブロック／モジュール１１８はワイヤレス通信デバイス１０２モビリティを決定し得る。より詳細には、モビリティ決定ブロック／モジュール１１８は、ワイヤレス通信デバイス１０２が、高いモビリティを有するのか、中間のモビリティを有するのか、低いモビリティを有するのかを決定し得る。いくつかの構成では、「モビリティ」という用語は、ワイヤレス通信デバイス１０２のロケーションの変化率を指すことがある。たとえば、高い変化率を有するワイヤレス通信デバイス１０２は高いモビリティを有し得、低い変化率を有するワイヤレス通信デバイス１０２は低いモビリティを有し得る。モビリティについて説明するために使用する「低い」という用語は、「中間の」しきい値範囲よりも低いモビリティのしきい値範囲を示し得る。同様に、モビリティについて説明するために使用する「中間の」という用語は、「低い」モビリティよりも大きく「高い」モビリティよりも小さいモビリティのしきい値範囲を示し得る。モビリティについて説明するために使用する「高い」という用語は、「低い」モビリティおよび「中間の」モビリティよりも大きいモビリティのしきい値範囲を示し得る。いくつかの実装形態では、本明細書で説明する低いモビリティは、３ＧＰＰ仕様による通常のモビリティに対応し得る（たとえば、それであり得る）。ワイヤレス通信デバイス１０２が低いモビリティを有する場合、モビリティ決定ブロック／モジュール１１８は、モビリティが低いことをイベント検出ブロック／モジュール１０８に通知し得る。以下でより詳細に説明するように、イベント検出ブロック／モジュール１０８は、次いで、探索を中断するように探索ブロック／モジュール１１０に指示し得る。モビリティ決定ブロック／モジュール１１８が、ワイヤレス通信デバイス１０２が高いまたは中間のモビリティを有することをイベント検出ブロック／モジュール１０８に示す場合、イベント検出ブロック／モジュール４０８は、探索を停止するように探索ブロック／モジュール１１０に指示し得る。
【００３２】
[0041]イベント検出ブロック／モジュール１０８は探索ブロック／モジュール１１０に結合され得る。いくつかの構成では、イベント検出ブロック／モジュール１０８は１つまたは複数のイベントを検出し得る。１つまたは複数のイベントに基づいて、イベント検出ブロック／モジュール１０８は、探索を中断するように探索ブロック／モジュール１１０に指示し得る。言い換えれば、イベント検出ブロック／モジュール１０８が第１のイベントを検出した場合、イベント検出ブロック／モジュール１０８は、探索を中断するように探索ブロック／モジュール１１０に指示し得る。たとえば、イベント検出ブロック／モジュール１０８が（たとえば、アイドル無線リソース制御（ＲＲＣ）状態から接続無線リソース制御状態への）接続状態の変化を検出した場合、イベント検出ブロック／モジュール１０８は、探索を中断するように探索ブロック／モジュール１１０に指示し得る。別の例では、ワイヤレス通信デバイス１０２が低いモビリティを有する場合、イベント検出ブロック／モジュール１０８は、探索を中断するように探索ブロック／モジュール１１０に指示し得る。いくつかの実装形態では、イベント検出ブロック／モジュール１０８は、ユーザ入力なしに探索を中断するように探索ブロック／モジュール１１０に指示し得る。たとえば、イベント検出ブロック／モジュール１０８は、いかなるユーザ入力とも無関係に探索を中断するように探索ブロック／モジュール１１０に指示し得る。
【００３３】
[0042]１つまたは複数のイベントに基づいて、イベント検出ブロック／モジュール１０８は、探索を再開するように探索ブロック／モジュール１１０に指示し得る。言い換えれば、イベント検出ブロック／モジュール１０８が第２のイベントを検出した場合、イベント検出ブロック／モジュール１０８は、探索を再開するように探索ブロック／モジュール１１０に指示し得る。たとえば、イベント検出ブロック／モジュール１０８が（たとえば、接続無線リソース制御状態からアイドル無線リソース制御状態への）接続状態の変化を検出した場合、イベント検出ブロック／モジュール１０８は、探索を再開するように探索ブロック／モジュール１１０に指示し得る。いくつかの構成では、接続状態は、無線リソース制御接続がリリースされたときに変化し得る。
【００３４】
[0043]いくつかの構成では、イベント検出ブロック／モジュール１０８は、ワイヤレス通信デバイス１０２が接続状態に（たとえば、接続無線リソース制御状態に）あるとき、探索を再開するように探索ブロック／モジュール１１０に指示し得る。一例が以下のように与えられる。この例では、ワイヤレス通信デバイス１０２は接続状態にあり得る。イベント検出ブロック／モジュール１０８は、接続不連続受信が構成され、アクティブであるかどうかを決定し得る。接続不連続受信が構成され、アクティブである場合、イベント検出ブロック／モジュール１０８は、ワイヤレス通信デバイス１０２が接続不連続受信中にスリープモードにあるとき、ギャップ中に探索を再開するように探索ブロック／モジュール１１０に指示し得る。
【００３５】
[0044]いくつかの構成では、イベント検出ブロック／モジュール１０８は、ワイヤレス通信デバイス１０２がアイドル状態に（たとえば、アイドル無線リソース制御状態に）あるとき、探索を再開するように探索ブロック／モジュール１１０に指示し得る。たとえば、ワイヤレス通信デバイス１０２は、無線アクセス技術１０４に接続すること（たとえば、無線リソース制御接続）を試み得る。ワイヤレス通信デバイス１０２が、接続を確立することができず、アイドル状態（たとえば、アイドル無線リソース制御状態）のままである場合、イベント検出ブロック／モジュール１０８は、探索を再開するように探索ブロック／モジュール１１０に指示し得る。
【００３６】
[0045]いくつかの実装形態では、イベント検出ブロック／モジュール１０８は、探索結果１１４に基づいて探索を再開するように探索ブロック／モジュール１１０に指示し得る。たとえば、探索を再開するようにとの指示をイベント検出ブロック／モジュール１０８によって与えられると、探索ブロック／モジュール１１０は、探索結果１１４（たとえば、第１のイベントまでに取得された結果）を取得し、その時点から探索を再開し得る。
【００３７】
[0046]１つまたは複数のイベントに基づいて、イベント検出ブロック／モジュール１０８は、探索を停止するように探索ブロック／モジュール１１０に指示し得る。言い換えれば、イベント検出ブロック／モジュール１０８が第３のイベントを検出した場合、イベント検出ブロック／モジュール１０８は、探索を停止するように探索ブロック／モジュール１１０に指示し得る。たとえば、イベント検出ブロック／モジュール１０８が高いまたは中間のワイヤレス通信デバイス１０２モビリティを検出した場合、イベント検出ブロック／モジュール１０８は、探索を停止するように探索ブロック／モジュール１１０に指示し得る。
【００３８】
[0047]いくつかの実装形態では、イベント検出ブロック／モジュール１０８は、時間間隔の満了において探索を停止するように探索ブロック／モジュール１１０に指示し得る。たとえば、時間間隔は探索の開始において始まり得る。この例では、イベント検出ブロック／モジュール１０８は、時間間隔の満了において探索を停止するように探索ブロック／モジュール１１０に指示し得る。
【００３９】
[0048]いくつかの実装形態では、イベント検出ブロック／モジュール１０８は、探索が完了したとき、探索を停止するように探索ブロック／モジュール１１０に指示し得る。たとえば、探索は、１つまたは複数の無線アクセス技術１０４に対応する１つまたは複数の帯域を探索することを含み得る。１つまたは複数の帯域を探索した後に、イベント検出ブロック／モジュール１０８は、探索を停止するように探索ブロック／モジュール１１０に指示し得る。いくつかの実装形態では、探索は、時間間隔の満了の前に完了していることがある。
【００４０】
[0049]探索ブロック／モジュール１１０に結合されたメモリ１１２が探索結果１１４を記憶し得る。たとえば、メモリ１１２は、探索ブロック／モジュール１１０によって行われた探索中に発見された１つまたは複数の検出された無線アクセス技術１０４に対応する情報を記憶し得る。いくつかの構成では、メモリ１１２は、探索が中断されたとき、探索結果１１４を記憶し得る。たとえば、イベント検出ブロック／モジュール１０８が、探索を中断するように探索ブロック／モジュール１１０に指示すると、探索ブロック／モジュール１１０は、１つまたは複数の検出された無線アクセス技術１０４に対応する情報をメモリ１１２に与え得る。検出された無線アクセス技術１０４に対応する情報は探索結果１１４としてメモリ１１２に記憶され得る。
【００４１】
[0050]いくつかの実装形態では、メモリ１１２は、探索が停止されたとき、探索結果１１４を記憶し得る。たとえば、イベント検出ブロック／モジュール１０８が、探索を停止するように探索ブロック／モジュール１１０に指示すると、探索ブロック／モジュール１１０は、１つまたは複数の検出された無線アクセス技術１０４に対応する情報をメモリ１１２に与え得る。その情報は探索結果１１４としてメモリ１１２に記憶され得る。いくつかの構成では、メモリ１１２は、探索結果１１４を出力するために探索ブロック／モジュール１１０に探索結果１１４を与え得る。前に説明したように、探索ブロック／モジュール１１０は、ユーザに表示されるように探索結果１１４をディスプレイ（図示せず）に出力し得る。
【００４２】
[0051]メモリ１１２は、探索の再開に基づいて探索ブロック／モジュール１１０に探索結果１１４を与え得る。たとえば、イベント検出ブロック／モジュール１０８が、第２のイベントを検出し、探索ブロック／モジュール１１０に探索を再開するように指示すると、メモリ１１２は、探索ブロック／モジュール１１０に探索結果１１４を与え得る。この例では、探索ブロック／モジュール１１０は、次いで、前に中断された探索の続きとして探索を再開し得る。
【００４３】
[0052]図２は、無線アクセス技術１０４を探索するための方法２００の１つの構成を示すフローチャートである。方法２００はワイヤレス通信デバイス１０２によって実施され得る。ワイヤレス通信デバイス１０２の探索ブロック／モジュール１１０は、１つまたは複数の無線アクセス技術１０４の探索を開始し得る２０２。いくつかの構成では、ワイヤレス通信デバイス１０２は、受信された入力に基づいて探索を開始し得る２０２。たとえば、ユーザが、ディスプレイ（たとえば、スマートフォン上のタッチスクリーン）を介して、手動探索を開始する２０２ように探索ブロック／モジュール１１０に指示し得る。他の構成では、探索は自動的に開始され得る２０２。たとえば、探索は、ワイヤレス通信デバイス１０２がどの比アクセス技術１０４とも通信していないとき、自動収集スキャンの一部として開始され得る２０２。別の例では、開始される２０２探索は、ワイヤレス通信デバイス１０２が、無線アクセス技術１０４にとどまるが、別の無線アクセス技術１０４の探索を自動的に開始する２０２とき、ベターシステム再選択（ＢＳＲ）スキャンであり得る。
【００４４】
[0053]探索ブロック／モジュール１１０は、基地局１０６とワイヤレス通信デバイス１０２との間のワイヤレス通信を与えることができる１つまたは複数の無線アクセス技術１０４を識別し得る。探索ブロック／モジュール１１０は、複数のタイプの無線アクセス技術１０４の探索を開始し得る。たとえば、探索ブロック／モジュール１１０は、モバイル通信用グローバルシステム（ＧＳＭ）ネットワークとロングタームエボリューション（ＬＴＥ）ネットワークとを探索し得る。いくつかの構成では、探索ブロック／モジュール１１０は、１つまたは複数の無線アクセス技術１０４の１つまたは複数の周波数帯域を探索し得る。たとえば、ロングタームエボリューション（ＬＴＥ）ネットワークでは帯域１３を探索し、モバイル通信用グローバルシステム（ＧＳＭ）ネットワークでは帯域１を探索することによって。
【００４５】
[0054]ワイヤレス通信デバイス１０２が、ワイヤレス通信デバイスが低いモビリティを有するかどうかを決定する２０４ことはオプションであり得、上記で説明したように、モビリティについて説明するために使用する「低い」という用語は、「中間の」しきい値範囲よりも低いモビリティのしきい値範囲を示し得る。モビリティ決定ブロック／モジュール１１８はワイヤレス通信デバイス１０２のモビリティを決定し得る。
【００４６】
[0055]いくつかの構成では、モビリティ決定ブロック／モジュール１１８は、再選択の数に基づいてワイヤレス通信デバイス１０２モビリティを決定し得る。言い換えれば、ワイヤレスモビリティ決定ブロック／モジュール１１８は、ワイヤレス通信デバイス１０２が無線アクセス技術カバレージエリア３９４ａ〜ｃを変更する回数に基づいて、ワイヤレス通信デバイス１０２モビリティを決定し得る。この例では、低いワイヤレス通信デバイス１０２モビリティは、ワイヤレス通信デバイスが、しきい値数を下回る数の再選択を行ったことを示し得る。同様にして、モビリティ決定ブロック／モジュール１１８は、（たとえば、しきい値に基づいて）ワイヤレス通信デバイス１０２が高いモビリティを有するのか中間のモビリティを有するのかを決定し得る。
【００４７】
[0056]いくつかの構成では、ワイヤレス通信デバイス１０２（たとえば、ワイヤレスモビリティ決定ブロック／モジュール）は、３ＧＰＰ仕様に従ってワイヤレス通信デバイス１０２モビリティを決定し得る。特に、３ＧＰＰ  ＴＳ３６．３０４のセクション５．２．４．３がモビリティ状態定義（たとえば、ＵＥのモビリティ状態）を与えており、その定義は、読みやすさのためにいくつかの編集とともに以下のように与えられる。パラメータ（ＴCRmax、ＮCR_H、ＮCR_MおよびＴCRmaxHyst）がサービングセルのシステム情報ブロードキャストにおいて送られる場合、通常のモビリティ状態のほかに、高いモビリティ状態および中間のモビリティ状態が適用可能である。状態検出基準は以下を含む。時間期間ＴCRmax中のセル再選択の数がＮCR_Mを超え、ＮCR_Hを超えない場合、中間のモビリティ状態の基準が検出される。時間期間ＴCRmax中のセル再選択の数がＮCR_Hを超える場合、高いモビリティ状態の基準が検出される。ＵＥは、１つの他の再選択の直後に同じセルが再選択された場合、同じ２つのセル間での連続する再選択をモビリティ状態検出基準にカウントしないものとする。状態遷移は以下のように与えられる。ＵＥは、高いモビリティ状態のための基準が検出された場合、高いモビリティ状態に入るものとする。そうではなく、中間のモビリティ状態のための基準が検出された場合、ＵＥは中間のモビリティ状態に入るものとする。そうではなく、中間のモビリティ状態または高いモビリティ状態のいずれかのための基準が時間期間ＴCRmaxHyst中に検出されない場合、ＵＥは通常のモビリティ状態に入るものとする。ＵＥが高いモビリティ状態または中間のモビリティ状態にある場合、ＵＥは、サブクローズ５．２．４．３．１において定義されている速度依存的スケーリングルールを適用するものとする。
【００４８】
[0057]より一般的には、ワイヤレス通信デバイス１０２は、ある時間期間中のセル再選択の数がパラメータＮCR_Mを超え、パラメータＮCR_Hを超えない場合、中間のモビリティを有し得る。それと比較して、ある時間期間中のセル再選択の数がパラメータＮCR_Hを超える場合、ワイヤレス通信デバイス１０２は高いモビリティを有し得る。いくつかの構成では、ワイヤレス通信デバイス１０２は、１つの他の再選択の直後に同じセルが再選択された場合、同じ２つのセル間での連続するセル再選択をモビリティ決定にカウントしないことがある。この例では、高いモビリティのための１つまたは複数の基準が検出された場合、ワイヤレス通信デバイス１０２は高いモビリティ状態に入り得る。高いモビリティのための１つまたは複数の基準が検出されず、中間のモビリティのための１つまたは複数の基準が検出された場合、ワイヤレス通信デバイス１０２は中間のモビリティ状態に入り得る。高いモビリティのための基準および中間のモビリティのための基準が検出されない場合、ワイヤレス通信デバイスは通常のモビリティ状態に入り得る。ワイヤレス通信デバイス１０２が高いモビリティ状態または中間のモビリティ状態にある場合、ワイヤレス通信デバイス１０２は速度依存的スケーリングルールを適用し得る。
【００４９】
[0058]ワイヤレス通信デバイス１０２（たとえば、ＵＥ）は、以下のリスト（１）およびリスト（２）に従って３ＧＰＰ  ＴＳ３６．３３１において与えられるパラメータを利用し得る。いくつかの実装形態では、モビリティ決定ブロック／モジュール１１８は、以下のようにリスト（１）に従って、ワイヤレス通信デバイス１０２が低いモビリティを有するかどうかを決定する２０４。
【数１】
2016504862.tif 000003
【００５０】
[0059]情報要素（ＩＥ）MobilityStateParametersは、ワイヤレス通信デバイス１０２（たとえば、ＵＥ）モビリティ状態を決定するためのパラメータを含んでいることがある。MobilityStateParameters情報要素の一例がリスト（２）において与えられる。
【数２】
2016504862.tif 000004
【００５１】
[0060]いくつかの構成では、モビリティ決定ブロック／モジュール１１８は、（たとえば、加速度計データを与える）１つまたは複数の加速度計、および／またはワイヤレス通信デバイス１０２のロケーションを識別するロケータ（たとえば、全地球測位システム（ＧＰＳ）受信機）を含み得る。これらの構成では、モビリティ決定ブロック／モジュール１１８は、追加または代替として、ワイヤレス通信デバイス１０２が低いモビリティを有するかどうかを決定するために、加速度計および／またはロケータから取得された情報を使用し得る。モビリティ決定ブロック／モジュール１１８が低いワイヤレス通信デバイス１０２モビリティを検出した場合、モビリティ決定ブロック／モジュール１１８はイベント検出ブロック／モジュール１０８に通知し得る。イベント検出ブロック／モジュール１０８は、次いで、探索を中断するように探索ブロック／モジュール１１０に指示し得る。いくつかの構成では、探索ブロック／モジュール１１０は、接続状態の変化なしに探索を中断し得る。
【００５２】
[0061]ワイヤレス通信デバイス１０２は、第１のイベントが発生したときに探索を中断する２０６。より詳細には、ワイヤレス通信デバイス１０２のイベント検出ブロック／モジュール１０８は、イベント検出ブロック／モジュール１０８が第１のイベントを検出したとき、探索を中断する２０６ように、探索ブロック／モジュール１１０に指示し得る。いくつかの実装形態では、第１のイベントはユーザ入力とは無関係に開始され得る。たとえば、イベント検出ブロック／モジュール１０８は第１のイベントを自動的に検出し得る。この例では、イベント検出ブロック／モジュール１０８は、ユーザによる開始なしに探索を中断し得る２０６。
【００５３】
[0062]いくつかの構成では、イベント検出ブロック／モジュール１０８は、イベント検出ブロック／モジュール１０８が低いワイヤレス通信デバイス１０２モビリティを検出したとき、探索を中断する２０６ように、探索ブロック／モジュール１１０に指示し得る。たとえば、いくつかのオプションでは、モビリティ決定ブロック／モジュール１１８が、ワイヤレス通信デバイス１０２が低いモビリティを有することをイベント検出ブロック／モジュール１０８に示し得る。言い換えれば、第１のイベントの一例は、ワイヤレス通信デバイス１０２が低いモビリティを有するという決定である。この例では、イベント検出ブロック／モジュール１０８は、探索を中断するように探索ブロック／モジュール１１０に指示し得る。いくつかの構成では、探索ブロック／モジュール１１０は、接続状態の変化なしに探索を中断し得る。
【００５４】
[0063]イベント検出ブロック／モジュール１０８は、イベント検出ブロック／モジュール１０８がワイヤレス通信デバイス１０２接続状態の変化を検出したとき、探索を中断する２０６ように、探索ブロック／モジュール１１０に指示し得る。たとえば、イベント検出ブロック／モジュール１０８が、ワイヤレス通信デバイス１０２がアイドル状態（たとえば、アイドル無線リソース制御状態）から接続状態（たとえば、接続無線リソース制御状態）に変化したことを検出した場合、イベント検出ブロック／モジュール１０８は、探索を中断する２０６ように探索ブロック／モジュール１１０に指示し得る。いくつかの構成では、イベント検出ブロック／モジュール１０８は、１つまたは複数のブロック／モジュール、たとえば、状態検出ブロック／モジュールおよび／または無線リソース制御検出ブロック／モジュールの動作に基づいてワイヤレス通信デバイス１０２接続状態の変化を検出し得る。
【００５５】
[0064]ワイヤレス通信デバイス１０２は、探索結果１１４を記憶する２０８。いくつかの構成では、ワイヤレス通信デバイス１０２のメモリ１１２が、探索結果１１４を記憶する２０８。メモリ１１２は探索ブロック／モジュール１１０に結合され得る。メモリ１１２は、探索の中断に基づいて探索結果１１４を記憶し得る２０８。たとえば、探索の中断時に、探索ブロック／モジュール１１０は、メモリ１１２に探索結果１１４を与え得る。場合によっては、探索結果１１４は、１つまたは複数の利用可能な無線アクセス技術１０４に対応する情報を含み得る。いくつかの構成では、探索結果１１４は、１つまたは複数の利用可能な無線アクセス技術１０４に対応する情報の一部分、たとえば、探索の中断までに検出された利用可能な無線アクセス技術１０４に対応する情報を含み得る。
【００５６】
[0065]ワイヤレス通信デバイス１０２は、第２のイベントが発生したときに探索結果１１４に基づいて探索を再開する２１０。より詳細には、イベント検出ブロック／モジュール１０８は、イベント検出ブロック／モジュール１０８が第２のイベントを検出したとき、探索を再開する２１０ように、探索ブロック／モジュール１１０に指示し得る。
【００５７】
[0066]イベント検出ブロック／モジュール１０８は、イベント検出ブロック／モジュール１０８がワイヤレス通信デバイス１０２接続状態の変化を検出したとき、探索を再開する２１０ように、探索ブロック／モジュール１１０に指示し得る。たとえば、イベント検出ブロック／モジュール１０８が、ワイヤレス通信デバイス１０２が接続状態（たとえば、接続無線リソース制御状態）からアイドル状態（たとえば、アイドル無線リソース制御状態）に変化したことを検出した場合、イベント検出ブロック／モジュール１０８は、探索を再開する２１０ように探索ブロック／モジュール１１０に指示し得る。いくつかの構成では、イベント検出ブロック／モジュール１０８は、１つまたは複数のブロック／モジュール、たとえば状態検出ブロック／モジュールおよび／または無線リソース制御検出ブロック／モジュールの動作に基づいてワイヤレス通信デバイス１０２接続状態の変化を検出し得る。たとえば、イベント検出ブロック／モジュール１０８は、無線リソース制御接続がリリースされていることを検出し、探索ブロック／モジュール１１０に探索を再開する２１０ように指示し得る。
【００５８】
[0067]上記で説明したように、イベント検出ブロック／モジュール１０８は、ワイヤレス通信デバイス１０２が接続状態に（たとえば、接続無線リソース制御状態に）あるとき、探索を再開する２１０ように、探索ブロック／モジュール１１０に指示し得る。たとえば、ワイヤレス通信デバイス１０２が接続状態に（たとえば、接続無線リソース制御状態に）あるとき、イベント検出ブロック／モジュール１０８は、接続不連続受信が構成され、アクティブであるかどうかを決定し得る。接続不連続受信が構成され、アクティブである場合、イベント検出ブロック／モジュール１０８は、ワイヤレス通信デバイス１０２が接続不連続受信中にスリープモードにあるとき、ギャップ中に探索を再開するように探索ブロック／モジュール１１０に指示し得る。
【００５９】
[0068]いくつかの構成では、イベント検出ブロック／モジュール１０８は、接続の試みに基づいて探索を再開する２１０ように、探索ブロック／モジュール１１０に指示し得る。たとえば、イベント検出ブロック／モジュール１０８は、無線アクセス技術１０４との接続（たとえば、無線リソース制御接続）を確立するためのワイヤレス通信デバイス１０２による試みを検出し得る。接続が確立され得ず、ワイヤレス通信デバイス１０２がアイドル状態にある場合、イベント検出ブロック／モジュール１０８は、探索を再開する２１０ように探索ブロック／モジュール１１０に指示し得る。
【００６０】
[0069]いくつかの実装形態では、探索ブロック／モジュール１１０は、探索結果１１４に基づいて探索を再開し得る２１０。上記で説明したように、探索結果１１４は、探索の中断までに探索中に検出された１つまたは複数の利用可能な無線アクセス技術１０４の一部分に対応する情報を含み得る。探索ブロック／モジュール１１０は、探索の中断の時点から無線アクセス技術１０４を探索することを再開し得る。たとえば、ワイヤレス通信デバイス１０２が、一定数の周波数帯域にわたって１つまたは複数の無線アクセス技術１０４の探索を開始する２０２と仮定されたい。中断時に、ワイヤレス通信デバイス１０２は、一定数の周波数帯域の一部分を探索していることがある。探索された部分に対応する情報は探索結果１１４としてメモリ１１２に記憶され得る。この例では、メモリ１１２は、探索ブロック／モジュール１１０に探索結果１１４を与え得る。探索ブロック／モジュール１１０は、探索の中断時に探索されていなかった一定数の周波数帯域の部分を探索することによって探索を再開し得る２１０。
【００６１】
[0070]図３は、無線アクセス技術１０４の探索が実施され得る、ワイヤレス通信デバイス３０２と１つまたは複数の無線アクセス技術カバレージエリア３９４ａ〜ｃとの１つの構成を示すブロック図である。ワイヤレス通信デバイス３０２は、図１に関して説明したワイヤレス通信デバイス１０２と同様であり得る。たとえば、ワイヤレス通信デバイス３０２は、図１に関して説明した対応する要素の例であり得る、イベント検出ブロック／モジュール３０８と、探索ブロック／モジュール３１０と、メモリ３１２とを含み得る。メモリ３１２は、図１に関して説明した探索結果１１４と同様の探索結果３１４を含み得る。上記で説明したように、ワイヤレス通信デバイス３０２は、場合によっては、図１に関して説明したオプションのモビリティ決定ブロック／モジュール１１８と同様のモビリティ決定ブロック／モジュール３１８を含み得る。
【００６２】
[0071]１つまたは複数の無線アクセス技術カバレージエリア３９４ａ〜ｃがワイヤレス通信デバイス３０２にとって利用可能であり得る。無線アクセス技術カバレージエリア３９４ａ〜ｃは、無線アクセス技術１０４がワイヤレス通信デバイス３０２と通信し得る（たとえば、基地局１０６へのネットワークリンクを与え得る）、地理的領域を示し得る。１つまたは複数の無線アクセス技術カバレージエリア３９４ａ〜ｃは異なるタイプの通信リンクを与え得る。たとえば、無線アクセス技術カバレージエリアＡ３９４ａはワイヤレス通信デバイス３０２にモバイル通信用グローバルシステム（ＧＳＭ）ネットワークリンクを与え得、無線アクセス技術カバレージエリアＢ３９４ｂは広帯域符号分割多元接続（Ｗ−ＣＤＭＡ）ネットワークリンクを与え得、無線アクセス技術カバレージエリアＣ３９４ｃはロングタームエボリューション（ＬＴＥ）ネットワークリンクを与え得る。
【００６３】
[0072]いくつかの例では、ワイヤレス通信デバイス３０２は、１つまたは複数の無線アクセス技術カバレージエリア３９４ａ〜ｃに対応する１つまたは複数の無線アクセス技術１０４にとどまることを選択し得る。これは、１つまたは複数の無線アクセス技術１０４の探索を実施することによって行われ得る。上記で説明したように、探索ブロック／モジュール３１０が、１つまたは複数の無線アクセス技術１０４の探索を開始し得る。いくつかの構成では、探索は、受信された入力に基づいて開始され得る。たとえば、ワイヤレス通信デバイス３０２は、探索を開始するための入力を（たとえば、ディスプレイを介してユーザから）受信し得る。ワイヤレス通信デバイス３０２は１つまたは複数の無線アクセス技術１０４を探索し得る。探索が完了すると、ワイヤレス通信デバイス３０２は、１つまたは複数の検出された無線アクセス技術１０４から選択し、特定の無線アクセス技術１０４にとどまり得る。いくつかの構成では、この選択はユーザ入力に基づき得る。
【００６４】
[0073]いくつかの構成では、ワイヤレス通信デバイス３０２は、たとえば、探索が中断または停止されたとき、利用可能な無線アクセス技術１０４の一部分から選択し得る。たとえば、探索は、第３のイベントが発生したときに停止され得る。この場合、ワイヤレス通信デバイス３０２は、探索が停止および／または中断されるまで検出された利用可能な無線アクセス技術１０４の部分から選択し得る。図３は３つの無線アクセス技術カバレージエリア３９４ａ〜ｃを示しているが、任意の数の無線アクセス技術カバレージエリア３９４ａ〜ｃが利用可能であり得る。
【００６５】
[0074]図４は、無線アクセス技術４０４を探索するためのシステムおよび方法が実装され得る、ワイヤレス通信デバイス４０２と１つまたは複数の無線アクセス技術４０４との別の構成を示すブロック図である。１つまたは複数の無線アクセス技術４０４は、前に説明した１つまたは複数の無線アクセス技術１０４と同様であり得る。１つまたは複数の無線アクセス技術４０４は、図１に関して説明した１つまたは複数の基地局１０６と同様の１つまたは複数の基地局４０６を含み得る。ワイヤレス通信デバイス４０２は、図１に関して説明したワイヤレス通信デバイス１０２と同様であり得る。
【００６６】
[0075]ワイヤレス通信デバイス４０２と基地局４０６との間の通信は、ワイヤレスリンクを介した送信によって達成され得る。ワイヤレス通信デバイス４０２は、所与の瞬間において、ダウンリンク４９６および／またはアップリンク４９８上で１つまたは複数の基地局４０６と通信し得る。ダウンリンク４９６および／またはアップリンク４９８は、図１に関して説明した対応する要素と同様であり得る。
【００６７】
[0076]ワイヤレス通信デバイス４０２は、１つまたは複数の無線アクセス技術４０４の一部としての１つまたは複数の基地局４０６と通信することが可能であり得る。いくつかの実装形態では、１つまたは複数の無線アクセス技術４０４は、図１に関して説明した１つまたは複数の無線アクセス技術１０４と同様であり得る。
【００６８】
[0077]ワイヤレス通信デバイス４０２は、図１に関して説明した対応する要素と同様の、イベント検出ブロック／モジュール４０８、モビリティ決定ブロック／モジュール４１８、探索ブロック／モジュール４１０、メモリ４１２および／または探索結果４１４を含み得る。
【００６９】
[0078]いくつかの構成では、タイマー４１６がイベント検出ブロック／モジュール４０８に結合され得る。タイマー４１６は探索の経過した持続時間を決定し得る。タイマー４１６は、それの満了において探索が中断され得る、時間間隔を含み得る。タイマー４１６は時間間隔の満了を検出し得る。タイマー４１６は、時間間隔が満了したことをイベント検出ブロック／モジュール４０８に示し得る。イベント検出ブロック／モジュール４０８は、次いで、探索を停止するように探索ブロック／モジュール４１０に指示し得る。場合によっては、時間間隔の満了は部分的に完了した探索に対応し得る。
【００７０】
[0079]状態検出ブロック／モジュール４２０が、イベント検出ブロック／モジュール４０８および／または探索ブロック／モジュール４１０に結合され得る。１つの構成では、状態検出ブロック／モジュール４２０はワイヤレス通信デバイス４０２接続状態を検出し得る。たとえば、状態検出ブロック／モジュール４２０は、基地局４０６とワイヤレス通信デバイス４０２との間の無線リソース制御接続があるかどうかを検出し得る。状態検出ブロック／モジュール４２０は１つまたは複数の接続状態を検出し得る。たとえば、状態検出ブロック／モジュール４２０は、アイドルワイヤレス通信デバイス４０２状態（たとえば、アイドル無線リソース制御状態）および／または接続ワイヤレス通信デバイス４０２状態（たとえば、接続無線リソース制御状態）を検出し得る。接続状態は、データが送信されている、ワイヤレス通信デバイス４０２と基地局４０６との間の論理接続を示し得る。
【００７１】
[0080]１つの構成では、状態検出ブロック／モジュール４２０はワイヤレス通信デバイス４０２接続状態の変化を検出し得る。一例では、状態検出ブロック／モジュール４２０はアイドル状態から接続状態への変化を検出し得る。この例では、状態検出ブロック／モジュール４２０は、状態のこの変化をイベント検出ブロック／モジュール４０８に示し得る。イベント検出ブロック／モジュール４０８は、探索を中断するように探索ブロック／モジュール４１０に指示し得る。
【００７２】
[0081]状態検出ブロック／モジュール４２０は接続状態からアイドル状態への変化を検出し得る。この例では、状態検出ブロック／モジュール４２０は、状態の変化をイベント検出クロック／モジュール４０８に示し得る。イベント検出ブロック／モジュール４０８は、探索を再開するように探索ブロック／モジュール４１０に指示し得る。いくつかの実装形態では、状態検出ブロック／モジュール４２０は、無線リソース制御接続のリリースを検出することによって（たとえば、接続状態からアイドル状態への）状態のこの変化を検出し得る。
【００７３】
[0082]状態検出ブロック／モジュール４２０は、接続が要求されているかどうかを検出し得る。たとえば、状態検出ブロック／モジュール４２０は、接続（たとえば、無線リソース制御接続）が要求されていることを検出し得る。この例では、状態検出ブロック／モジュール４２０は、接続が要求されていることをイベント検出ブロックモジュール４０８に示し得る。
【００７４】
[0083]状態検出ブロック／モジュール４２０が、接続が要求されていないことを検出した場合、状態検出ブロック／モジュール４２０は、探索を続けるように探索ブロック／モジュール４１０に指示し得る。１つの構成では、状態検出ブロック／モジュール４２０は、接続が要求されているが、ワイヤレス通信デバイス４０２が接続状態にない（たとえば、ワイヤレス通信デバイス４０２がアイドル状態にある）ことをイベント検出ブロック／モジュール４０８に示し得る。この構成では、イベント検出ブロック／モジュール４０８は、探索を再開するように探索ブロック／モジュール４１０に指示し得る。
【００７５】
[0084]接続不連続受信検出ブロック／モジュール４２２がイベント検出ブロック／モジュール４０８に結合され得る。接続不連続受信検出ブロック／モジュール４２２は、ワイヤレス通信デバイス４０２と無線アクセス技術４０４との間で接続不連続受信が構成され、アクティブであるかどうかを検出し得る。いくつかの例では、接続不連続受信は、無線アクセス技術４０４との接続状態（たとえば、接続無線リソース制御状態）にあるワイヤレス通信デバイス４０２を含み得る。この例では、ワイヤレス通信デバイス４０２と無線アクセス技術４０４は、データの送信／受信の期間とスリープの期間とのパターンを確立し得る。本明細書で使用する「スリープ」という用語は、ワイヤレス通信デバイス４０２が接続状態にあるが、アクティブ送信モードにないときの、接続不連続受信中の期間を示す。
【００７６】
[0085]いくつかの実装形態では、接続不連続受信（Ｃ−ＤＲＸ）が接続状態（たとえば、ＲＲＣ＿ＣＯＮＮＥＣＴＥＤ）において構成され得る。たとえば、ワイヤレス通信デバイス４０２（たとえば、ユーザ機器）は、接続不連続受信が有効であるときにダウンリンクチャネルをモニタしないことがある。接続不連続受信サイクルの一例が以下のように与えられる。ワイヤレス通信デバイス４０２（たとえば、ユーザ機器）は、物理ダウンリンク制御チャネル（ＰＤＣＣＨ）をモニタするためにある期間（たとえば、OnDuration）の間、起動し得る。この例では、ワイヤレス通信デバイス４０２は、長いまたは短い不連続受信（たとえば、長い／短いＤＲＸ）期間中に受信をスキップし得る。ワイヤレス通信デバイス４０２は、バッテリーを節約するためにこれを行い得る。いくつかの実装形態では、これは、バッテリー節約とレイテンシとの間のトレードオフを伴う。短い不連続受信（たとえば、短いＤＲＸ）は、ワイヤレス通信デバイス４０２（たとえば、ユーザ機器）が、頻繁なスケジューリングを有することが予想され得る、高データレート適用例に適応し得る。長い不連続受信（たとえば、長いＤＲＸ）はウェブブラウジングトラフィックに適応し得る。接続不連続受信検出ブロック／モジュール４２２が、接続不連続受信が構成され、アクティブであることを検出した場合、接続不連続受信ブロック／モジュール４２２はイベント検出ブロック／モジュール４０８を示し得る。イベント検出ブロック／モジュール４０８は、次いで、スリープの１つまたは複数の期間中に探索を再開するように探索ブロック／モジュール４１０に指示し得る。言い換えれば、探索ブロック／モジュール４１０は、データの送信／受信の期間中に探索を中断し、スリープの期間中に探索を再開し得る。
【００７７】
[0086]図５は、無線アクセス技術４０４を探索するための方法５００の別の構成を示すフローチャートである。方法５００はワイヤレス通信デバイス４０２によって実施され得る。ワイヤレス通信デバイス４０２の探索ブロック／モジュール４１０は、１つまたは複数の無線アクセス技術４０４の探索を開始する５０２。いくつかの実装形態では、これは、図２に関して説明したように行われ得る。
【００７８】
[0087]１つの構成では、ワイヤレス通信デバイス４０２のモビリティ決定ブロック／モジュール４１８は、ワイヤレス通信デバイス４０２モビリティが低いかどうかを決定し得る５０４。いくつかの実装形態では、これは、図２に関して説明したように行われ得る。
【００７９】
[0088]モビリティ決定ブロック／モジュール４１８が、ワイヤレス通信デバイス４０２モビリティが低くない（たとえば、それが高いまたは中間のモビリティを有する）ことを決定した５０４場合、ワイヤレス通信デバイス４０２は、探索を停止する５０６。たとえば、モビリティ決定ブロック／モジュール４１８は、ワイヤレス通信デバイス４０２が低いモビリティを有しない（たとえば、それが高いまたは中間のモビリティを有する）ことをイベント検出ブロック／モジュール４０８に示し得る。イベント検出ブロック／モジュール４０８は、次いで、探索を停止する５０６ように探索ブロック／モジュール４１０に指示し得る。
【００８０】
[0089]いくつかの構成では、ワイヤレス通信デバイス４０２の探索ブロック／モジュール４１０は、探索結果４１４を出力する５０８。たとえば、イベント検出ブロック／モジュール４０８は、探索を停止する５０６ように探索ブロック／モジュール４１０に指示し得る。探索ブロック／モジュール４１０は探索結果４１４を出力し得る。上記で説明したように、探索結果４１４は、停止時点までに探索中に発見された検出された無線アクセス技術４０４の一部分に対応する情報を含み得る。いくつかの構成では、探索ブロック／モジュール４１０は、ユーザに探索結果を表示するためにディスプレイ（図示せず）に探索結果４１４を与え得る。
【００８１】
[0090]モビリティ決定ブロック／モジュール４１８が、ワイヤレス通信デバイス４０２モビリティが低いことを決定した５０４場合、ワイヤレス通信デバイス４０２は、探索を中断する５１０。いくつかの実装形態では、これは、図２に関して説明したように行われ得る。
【００８２】
[0091]ワイヤレス通信デバイス４０２は、探索結果４１４を記憶する５１２。いくつかの実装形態では、これは、図２に関して説明したように行われ得る。
【００８３】
[0092]ワイヤレス通信デバイス４０２は、第２のイベントが発生したときに探索結果４１４に基づいて探索を再開する５１４。いくつかの実装形態では、これは、図２に関して説明したように行われ得る。
【００８４】
[0093]図６は、無線アクセス技術４０４を探索するための方法６００の別の構成を示すフローチャートである。方法６００はワイヤレス通信デバイス４０２によって実施され得る。ワイヤレス通信デバイス４０２の探索ブロック／モジュール４１０は、１つまたは複数の無線アクセス技術４０４の探索を開始する６０２。いくつかの実装形態では、これは、図２に関して説明したように行われ得る。
【００８５】
[0094]１つの構成では、状態検出ブロック／モジュール４２０は、ワイヤレス通信デバイス４０２が接続されているかどうかを決定し得る６０４。たとえば、状態検出ブロック／モジュール４２０は、ワイヤレス通信デバイス４０２と基地局４０６との間の接続無線リソース制御があるかどうかを決定し得る６０４。
【００８６】
[0095]状態検出ブロック／モジュール４２０が、ワイヤレス通信デバイス４０２が接続されていない（たとえば、アイドル無線リソース制御状態にある）ことを決定した６０４場合、探索ブロック／モジュール４１０は、探索を続ける６０６。言い換えれば、ワイヤレス通信デバイス４０２が接続無線リソース制御状態にない場合、探索ブロック／モジュール４１０は１つまたは複数の無線アクセス技術４０４を探索し続け得る。
【００８７】
[0096]状態検出ブロック／モジュール４２０が、ワイヤレス通信デバイス４０２が接続されている（たとえば、接続無線リソース制御状態にある）ことを決定した６０４場合、ワイヤレス通信デバイス４０２は、ワイヤレス通信デバイス４０２が低いモビリティを有するかどうかを決定し得る６０８。いくつかの実装形態では、これは、図２に関して説明したように行われ得る。ワイヤレス通信デバイス４０２は、探索を中断する６１０。いくつかの実装形態では、これは、図２に関して説明したように行われ得る。
【００８８】
[0097]ワイヤレス通信デバイス４０２は、探索結果４１４を記憶する６１２。いくつかの実装形態では、これは、図２に関して説明したように行われ得る。
【００８９】
[0098]１つの構成では、接続不連続受信検出ブロック／モジュール４２２は、接続不連続受信が構成され、アクティブであるかどうかを決定し得る６１４。上記で説明したように、接続不連続受信は、データの送信／受信とスリープとの不連続期間を用いた、無線アクセス技術４０４との接続状態にあるワイヤレス通信デバイス４０２を含み得る。この構成では、ワイヤレス通信デバイス４０２は無線アクセス技術４０４に接続され得る。
【００９０】
[0099]１つの構成では、接続不連続受信検出ブロック／モジュール４２２は、接続不連続受信が構成されず、アクティブでないことを決定する６１４。この構成では、ワイヤレス通信デバイス４０２は無線アクセス技術４０４に接続され得ることに留意されたい。この例では、ワイヤレス通信デバイス４０２は、接続がリリースされたときに探索結果４１４に基づいて探索を再開する６１６。たとえば、状態検出ブロック／モジュール４２０が（たとえば、接続無線リソース制御状態からアイドル無線リソース制御状態への）接続状態の変化を検出した場合、状態検出ブロック／モジュール４２０はイベント検出ブロック／モジュール４０８に通知し得る。イベント検出ブロック／モジュール４０８は、次いで、探索を再開するように探索ブロック／モジュール４１０に指示し得る。いくつかの実装形態では、探索ブロック／モジュール４１０は、探索結果４１４に基づいて探索を再開し得る。たとえば、探索を再開するようにとの指示をイベント検出ブロック／モジュール４０８によって与えられると、探索ブロック／モジュール４１０は、メモリ４１２から探索結果４１４（たとえば、第１のイベントまでに取得された結果）を取得し、その時点から探索を再開し得る。
【００９１】
[00100]接続不連続受信検出ブロック／モジュール４２２が、接続不連続受信が構成され、アクティブであることを決定した６１４場合、ワイヤレス通信デバイス４０２は、探索結果４１４に基づいて探索結果を再開する６１８。より詳細には、接続不連続受信検出ブロック／モジュール４２２は、接続不連続受信が構成され、アクティブであることをイベント検出ブロック／モジュール４０８に示し得る。イベント検出ブロック／モジュール４０８は、次いで、探索結果４１４に基づいて探索を再開する６１８ように、探索ブロック／モジュール４１０に指示し得る。いくつかの実装形態では、イベント検出ブロック／モジュール４０８は、ワイヤレス通信デバイス４０２が接続不連続受信中にスリープモードにあるとき、ギャップ中に探索を再開する６１８ように、探索ブロックモジュール４１０に指示し得る。
【００９２】
[00101]図７は、無線アクセス技術４０４を探索するための方法７００の別の構成を示すフローチャートである。方法７００はワイヤレス通信デバイス４０２によって実施され得る。いくつかの実装形態では、状態検出ブロック／モジュール４２０は、ワイヤレス通信デバイス４０２が接続されているかどうかを決定し得る７０２。上記で説明したように、状態検出ブロック／モジュール４２０は、１つまたは複数の接続状態、たとえば接続状態（たとえば、接続無線リソース制御状態）およびアイドル状態（たとえば、アイドル無線リソース制御状態）を検出し得る。たとえば、状態検出ブロック／モジュール４２０は、無線アクセス技術４０４とワイヤレス通信デバイス４０２との間の無線リソース制御接続があるかどうかを決定し得る７０２。状態検出ブロック／モジュール４２０が、ワイヤレス通信デバイス４０２が接続状態にあることを決定した７０２場合、ワイヤレス通信デバイス４０２は、本明細書で説明するように接続不連続受信が構成され、アクティブであるかどうかを決定し得る７２４。
【００９３】
[00102]ワイヤレス通信デバイス４０２の探索ブロック／モジュール４１０は、１つまたは複数の無線アクセス技術４０４の探索を開始する７０４。いくつかの実装形態では、これは、図２に関して説明したように行われ得る。
【００９４】
[00103]ワイヤレス通信デバイス４０２は、探索が完了したかどうかを決定し得る７０６。いくつかの構成では、探索は、１つまたは複数の無線アクセス技術４０４に対応する決定された数の帯域が探索されたときに完了していることがある。場合によっては、探索は、時間間隔の満了の前に完了していることがある。ワイヤレス通信デバイス４０２が、探索が完了したことを決定した場合、ワイヤレス通信デバイス４０２は、探索を停止する７０８。たとえば、イベント検出ブロック／モジュール４０８は、探索が完了したことを検出し得、探索を停止するように探索ブロック／モジュール４１０に指示し得る。いくつかの実装形態では、探索を停止する７０８ことは、図５に関して説明したように行われ得る。
【００９５】
[00104]いくつかの構成では、ワイヤレス通信デバイス４０２は、探索結果４１４を出力する７１０。いくつかの実装形態では、これは、図５に関して説明したように行われ得る。
【００９６】
[00105]ワイヤレス通信デバイス４０２が、探索が完了していないことを決定した７０６場合、ワイヤレス通信デバイス４０２のタイマー４１６は、時間間隔が満了したかどうかを決定し得る７１２。上記で説明したように、タイマー４１６は探索の経過した持続時間を決定し得る。タイマー４１６が、経過した持続時間が時間間隔よりも大きいことを検出した場合、タイマー４１６は、時間間隔が満了したことをイベント検出ブロック／モジュール４０８に示し得る。この構成では、イベント検出ブロック／モジュール４０８は、探索を停止する７０８ように探索ブロック／モジュール４１０に指示し得る。場合によっては、時間間隔の満了は部分的に完了した探索に対応し得る。いくつかの実装形態では、探索を停止する７０８ことは、上記で説明したように行われ得る。この構成では、探索ブロック／モジュール４１０は、探索結果４１４を出力する７１０。いくつかの実装形態では、探索結果４１４を出力する７１０ことは、探索結果４１４の一部分（たとえば、満了した時間間隔の時点までに探索された部分）を出力する７１０ことを含み得る。いくつかの実装形態では、これは、上記で説明したように行われ得る。
【００９７】
[00106]タイマー４１６が、時間間隔が満了していないことを決定した７１２場合、状態検出ブロック／モジュール４２０は、接続が要求されているかどうかを決定し得る７１４。たとえば、状態検出ブロック／モジュール４２０は、接続（たとえば、無線リソース制御接続）が要求されているかどうかを決定し得る７１４。状態検出ブロック／モジュール４２０が、接続が要求されていないことを決定した７１４場合、状態検出ブロック／モジュール４２０は、１つまたは複数の無線アクセス技術４０４を探索し続けるように探索ブロック／モジュール４１０に指示し得る。それと比較して、状態検出ブロック／モジュール４２０が、接続が要求されていることを決定した７１４場合、モビリティ決定ブロック／モジュール４１８は、ワイヤレス通信デバイス４０２が低いモビリティを有するかどうかを決定し得る７１６。いくつかの実装形態では、これは、図５に関して説明したように行われ得る。
【００９８】
[00107]モビリティ決定ブロック／モジュール４１８が、ワイヤレス通信デバイス４０２が低いモビリティを有しない（たとえば、それが高いまたは中間のモビリティを有する）ことを決定した場合７１６、イベント検出ブロック／モジュール４０８は、探索を停止する７０８ように探索ブロック／モジュール４１０に指示し得る。いくつかの実装形態では、これは、上記で説明したように行われ得る。この構成では、探索ブロック／モジュール４１０は、探索結果４１４を出力する７１０。いくつかの実装形態では、これは、上記で説明したように行われ得る。
【００９９】
[00108]モビリティ決定ブロック／モジュール４１８が、ワイヤレス通信デバイス４０２が低いモビリティを有することを決定した場合７１６、イベント検出ブロック／モジュール４０８は、探索を中断する７１８ように探索ブロック／モジュール４１０に指示し得る。いくつかの実装形態では、これは、図２に関して説明したように行われ得る。
【０１００】
[00109]ワイヤレス通信デバイス４０２は、探索結果４１４を記憶する７２０。いくつかの実装形態では、これは、図２に関して説明したように行われ得る。
【０１０１】
[00110]状態検出ブロック／モジュール４２０は、ワイヤレス通信デバイス４０２が接続されているかどうかを決定し得る７２２。たとえば、状態検出ブロック／モジュール４２０は、ワイヤレス通信デバイス４０２が無線アクセス技術４０４との無線リソース制御接続を有するかどうかを決定し得る７２２。状態検出ブロック／モジュール４２０が、ワイヤレス通信デバイス４０２が接続されていないこと（たとえば、アイドル無線リソース制御接続）を決定した場合７２２、状態検出ブロック／モジュール４２０は、これをイベント検出ブロック／モジュール４０８に示し得る。たとえば、状態検出ブロック／モジュール４２０は、ワイヤレス通信デバイス４０２が、無線アクセス技術４０４に接続することを試みたが、接続を確立することができなかったことを示し得る。この例では、イベント検出ブロック／モジュール４０８は、探索を再開するように探索ブロック／モジュール４１０に指示し得る。
【０１０２】
[00111]状態検出ブロック／モジュール４２０が、ワイヤレス通信デバイス４０２が接続されていることを決定した場合７２２、接続不連続受信検出ブロック／モジュール４２２は、接続不連続受信が構成され、アクティブであるかどうかを決定し得る７２４。いくつかの構成では、これは、図６に関して説明したように行われ得る。接続不連続受信検出ブロック／モジュール４２２が、接続不連続受信が構成されず、アクティブでないことを決定した７２４場合、ワイヤレス通信デバイス４０２は、接続がリリースされるまで待つ７３０。その時点で、ワイヤレス通信デバイス４０２のイベント検出ブロック／モジュール４０８は、探索結果４１４に基づいて探索を再開するように探索ブロック／モジュール４１０に指示し得る。いくつかの実装形態では、これは、図６に関して説明したように行われ得る。
【０１０３】
[00112]状態検出ブロック／モジュール４２０が、接続不連続受信が構成され、アクティブであることを決定した７２４場合、イベント検出ブロック／モジュール４０８は、探索結果に基づいて探索を再開する７２６ように、探索ブロック／モジュール４１０に指示し得る。いくつかの実装形態では、イベント検出ブロック／モジュール４０８は、接続不連続受信中にスリープの不連続期間中に探索を再開する７２６ように、探索ブロック／モジュール４１０に指示し得る。
【０１０４】
[00113]いくつかの実装形態では、状態検出ブロック／モジュール４２０は、接続がリリースされているかどうかを決定し得る７２８。上記で説明したように、状態検出ブロック／モジュール４２０は、接続状態（たとえば、接続無線リソース制御状態）からアイドル状態（たとえば、アイドル無線リソース制御状態）への変化を検出し得る。いくつかの例では、状態検出ブロック／モジュール４２０は、無線リソース制御のリリースを検出することによって状態の変化を検出し得る。状態検出ブロック／モジュール４２０が、接続（たとえば、無線リソース制御接続）がリリースされていないことを検出した場合、ワイヤレス通信デバイス４０２は、接続がリリースされるまで待つ７３０。この時点で、状態検出ブロック／モジュール４２０は、状態の変化をイベント検出ブロック／モジュール４０８に通知し得る。イベント検出ブロック／モジュール４０８は、探索を再開するように探索ブロック／モジュール４１０に指示し得る。接続がリリースされている場合、状態検出ブロック／モジュール４２０は、状態の変化をイベント検出ブロック／モジュール４０８に通知し得る。イベント検出ブロック／モジュール４０８は、探索を再開するように探索ブロック／モジュール４１０に指示し得る。いくつかの実装形態では、探索を再開することは、上記で説明したように行われ得る。
【０１０５】
[00114]図８は、無線アクセス技術８０４を探索するためのシステムおよび方法が実装され得る、ユーザ機器８０２と１つまたは複数の無線アクセス技術８０４との１つの構成を示すブロック図である。１つまたは複数の無線アクセス技術８０４は１つまたは複数の発展型ノードＢ８０６を含み得る。１つまたは複数の発展型ノードＢ８０６は、前に説明した１つまたは複数の基地局１０６、４０６の一例であり得る。
【０１０６】
[00115]ユーザ機器８０２と１つまたは複数の発展型ノードＢ８０６との間の通信は、ワイヤレスリンクを介した送信によって達成され得る。ユーザ機器８０２は、所与の瞬間において、ダウンリンク８９６および／またはアップリンク８９８上で１つまたは複数の発展型ノードＢ８０６と通信し得る。ダウンリンク８９６および／またはアップリンク８９８は、図１に関して説明した対応する要素と同様であり得る。
【０１０７】
[00116]ユーザ機器８０２は、１つまたは複数の無線アクセス技術８０４の一部としての１つまたは複数の発展型ノードＢ８０６と通信することが可能であり得る。いくつかの実装形態では、１つまたは複数の無線アクセス技術８０４は、前に説明した１つまたは複数の無線アクセス技術１０４、４０４と同様であり得る。
【０１０８】
[00117]ユーザ機器８０２は、前に説明したワイヤレス通信デバイス１０２、４０２の一例であり得る。ユーザ機器８０２は、上記で説明した対応する要素と同様の、イベント検出ブロック／モジュール８０８、探索ブロック／モジュール８１０、メモリ８１２、探索結果８１４、タイマー８１６、モビリティ決定ブロック／モジュール８１８および／または接続不連続受信検出ブロック／モジュール８２２を含み得る。
【０１０９】
[00118]無線リソース制御検出ブロック／モジュール８２０は、イベント検出ブロック／モジュール８０８および／または探索ブロック／モジュール８１０に結合され得る。１つの構成では、無線リソース制御検出ブロック／モジュール８２０はユーザ機器８０２無線リソース制御状態を検出し得る。たとえば、無線リソース制御検出ブロック／モジュール８２０は、発展型ノードＢ８０６とユーザ機器８０２との間の無線リソース制御接続があるかどうかを検出し得る。無線リソース制御検出ブロック／モジュール８２０は１つまたは複数の無線リソース制御状態を検出し得る。たとえば、無線リソース制御検出ブロック／モジュール８２０は、アイドル無線リソース制御状態および／または接続無線リソース制御状態を検出し得る。接続無線リソース制御は、データが送信されている、ユーザ機器８０２と発展型ノードＢ８０６との間の論理接続を示し得る。
【０１１０】
[00119]１つの構成では、無線リソース制御検出ブロック／モジュール８２０はユーザ機器８０２無線リソース制御状態の変化を検出し得る。一例では、無線リソース制御検出ブロック／モジュール８２０は、アイドル無線リソース制御状態から接続無線リソース制御状態への変化を検出し得る。この例では、無線リソース制御検出ブロック／モジュール８２０は、無線リソース制御状態のこの変化をイベント検出ブロック／モジュール８０８に示し得る。イベント検出ブロック／モジュール４０８は、探索を中断するように探索ブロック／モジュール８１０に指示し得る。
【０１１１】
[00120]無線リソース制御検出ブロック／モジュール８２０は、接続無線リソース制御状態からアイドル無線リソース制御状態への変化を検出し得る。この例では、無線リソース制御検出ブロック／モジュール８２０は、無線リソース制御状態の変化をイベント検出クロック／モジュール８０８に示し得る。イベント検出ブロック／モジュール８０８は、探索を再開するように探索ブロック／モジュール８１０に指示し得る。いくつかの実装形態では、無線リソース制御検出ブロック／モジュール８２０は、無線リソース制御のリリースを検出することによって（たとえば、接続無線リソース制御状態からアイドル無線リソース制御状態への）無線リソース制御状態のこの変化を検出し得る。
【０１１２】
[00121]無線リソース制御検出ブロック／モジュール８２０は、無線リソース制御接続が要求されているかどうかを検出し得る。無線リソース制御検出ブロック／モジュール８２０が、無線リソース制御接続が要求されていることを検出した場合、無線リソース制御検出ブロック／モジュール８２０は、接続が要求されていることをイベント検出ブロック／モジュール８０８に示し得る。
【０１１３】
[00122]無線リソース制御検出ブロック／モジュール８２０が、無線リソース制御接続が要求されていないことを検出した場合、無線リソース制御検出ブロック／モジュール８２０は、探索を続けるように探索ブロック／モジュール８１０に指示し得る。１つの構成では、無線リソース制御検出ブロック／モジュール８２０は、無線リソース制御接続が要求されているが、ユーザ機器８０２が接続無線リソース制御状態にないことをイベント検出ブロック／モジュール８０８に示し得る。この構成では、イベント検出ブロック／モジュール８０８は、探索を再開するように探索ブロック／モジュール８１０に指示し得る。
【０１１４】
[00123]図９は、ユーザ機器９０２と、ユーザ機器９０２がデータサービスおよび／またはボイスサービスのために利用し得るコアネットワーク９４６との間の様々なタイプの接続性を示すブロック図である。図９のユーザ機器９０２は、図１のワイヤレス通信デバイス１０２の１つの構成であり得る。たとえば、ユーザ機器９０２は、上記で説明した対応する要素と同様の、イベント検出ブロック／モジュール９０８、探索ブロック／検出モジュール９１０および／またはメモリ９１２を含み得る。メモリ９１２は、前に説明した探索結果１１４と同様の探索結果９１４を含み得る。複数のエアインターフェース（またはエアリンク）が、Interim Standard 95（ＩＳ９５）基地局９２６、（本明細書では「１ｘ」と呼ばれ、ＩＳ−２０００または１ｘＲＴＴと呼ばれることもある）ＣＤＭＡ２０００  １ｘ基地局９２８および／またはエボリューションデータオプティマイズド（ＥＶＤＯ）無線アクセスネットワーク（ＲＡＮ）９３０を介して、インターネット９２４へのデータ接続をユーザ機器９０２に与え得る。ＩＳ９５基地局９２６は、ユーザ機器９０２にＩＳ９５エアリンク９３２を与え得る。ＩＳ９５基地局９２６は、インターワーキング機能（ＩＷＦ：InterWorking Function）９３４を介してインターネット９２４に接続され得る。１ｘ基地局９２８は、ユーザ機器９０２に１ｘエアリンク９３６を与え得る。エボリューションデータオプティマイズド（ＥＶＤＯ）無線アクセスネットワーク（ＲＡＮ）９３０は、ユーザ機器９０２にエボリューションデータオプティマイズド（ＥＶＤＯ）エアリンク９３８を与え得る。１ｘ基地局９２８およびエボリューションデータオプティマイズド（ＥＶＤＯ）無線アクセスネットワーク（ＲＡＮ）９３０は、Ａ１０インターフェース９４０ａ〜ｂを介してパケットデータサービングノード（ＰＤＳＮ：Packet Data Serving Node）９４２に接続され得、ＰＤＳＮ９４２はインターネット９２４に接続される。パケットデータサービングノード（ＰＤＳＮ）９４２は外部エージェント（ＦＡ：Foreign Agent）を含み得る。ホームエージェント（ＨＡ：Home Agent）９４４がインターネット９２４に接続され得る。
【０１１５】
[00124]ネットワークアーキテクチャは、発展型高速パケットデータ（ＥＨＲＰＤ：evolved high rate packet data）エアリンク９４８と発展型高速パケットデータ（ＥＨＲＰＤ）無線アクセスネットワーク（ＲＡＮ）９５０とを介したコアネットワーク９４６へのデータ接続性を含み得る。発展型高速パケットデータ（ＥＨＲＰＤ）無線アクセスネットワーク（ＲＡＮ）９５０は、ＨＲＰＤサービングゲートウェイ（ＨＳＧＷ：HRPD Serving Gateway）９５４に接続するためにＡ１０インターフェース９５２を採用し得る。ネットワークアーキテクチャは、ロングタームエボリューション（ＬＴＥ）エアリンク９５６とロングタームエボリューション（ＬＴＥ）ｅノードＢ９５８とを介したデータ接続性をも含み得る。ロングタームエボリューション（ＬＴＥ）ｅノードＢ９５８は、サービングゲートウェイ（ＳＧＷ）９６２に接続するためにＳ１−Ｕインターフェース９６０を採用し得る。ＨＲＰＤサービングゲートウェイ（ＨＳＧＷ）９５４は、Ｓ２Ａインターフェース９６６ａ〜ｃを介して第１のパケットデータネットワークゲートウェイ（ＰＤＮ−ＧＷ）９６４ａ、第２のパケットデータネットワークゲートウェイ（ＰＤＮ−ＧＷ）９６４ｂおよび第３のパケットデータネットワークゲートウェイ（ＰＤＮ−ＧＷ）９６４ｃに接続し得る。サービングゲートウェイ（ＳＧＷ）９６２は、Ｓ５インターフェース９６８ａ〜ｃを介して第１のパケットデータネットワークゲートウェイ（ＰＤＮ−ＧＷ）９６４ａ、第２のパケットデータネットワークゲートウェイ（ＰＤＮ−ＧＷ）９６４ｂおよび第３のパケットデータネットワークゲートウェイ（ＰＤＮ−ＧＷ）９６４ｃと接続し得る。第１のパケットデータネットワークゲートウェイ（ＰＤＮ−ＧＷ）９６４ａは第１のアプリケーションネットワーク（ＡＰＮ）９７０ａに接続し得る。第２のパケットデータネットワークゲートウェイ（ＰＤＮ−ＧＷ）９６４ｂは第２のアプリケーションネットワーク（ＡＰＮ）９７０ｂに接続し得る。第３のパケットデータネットワークゲートウェイ（ＰＤＮ−ＧＷ）９６４ｃは第３のアプリケーションネットワーク（ＡＰＮ）９７０ｃに接続し得る。アプリケーションネットワーク（ＡＰＮ）９７０は、限定はしないが、ボイスオーバーＩＰ（ＶｏＩＰ）またはビデオテレフォニーサービスを取得するためにユーザ機器９０２がそれに接続するインターネットマルチメディアシステム（ＩＭＳ：Internet Multimedia System）、あるいはユーザ機器９０２のための構成情報をダウンロードするためにユーザ機器９０２がそれとの接続を確立し得る管理アプリケーションネットワーク（ＡＰＮ）を含み得る。
【０１１６】
[00125]図１０に、ワイヤレス通信デバイス１００２内に含まれ得るいくつかの構成要素を示す。ワイヤレス通信デバイス１００２は、上記で説明したワイヤレス通信デバイス１０２、３０２、４０２およびユーザ機器８０２のうちの１つまたは複数に従って実装され得る。ワイヤレス通信デバイス１００２は、アクセス端末、移動局、ユーザ機器などであり得る。ワイヤレス通信デバイス１００２はプロセッサ１０７８を含む。プロセッサ１０７８は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１０７８は中央処理ユニット（ＣＰＵ）と呼ばれることがある。図１０のワイヤレス通信デバイス１００２中に単一のプロセッサ１０７８のみが示されているが、代替構成では、プロセッサの組合せ（たとえば、ＡＲＭとＤＳＰ）が使用され得る。
【０１１７】
[00126]ワイヤレス通信デバイス１００２はメモリ１０７２をも含む。メモリ１０７２は、電子情報を記憶することが可能な任意の電子的構成要素であり得る。メモリ１０７２は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭ（登録商標）メモリ、レジスタなど、およびそれらの組合せとして実施され得る。
【０１１８】
[00127]データ１０７６ａおよび命令１０７４ａがメモリ１０７２に記憶され得る。命令１０７４ａは、本明細書で開示する方法を実装するようにプロセッサ１０７８によって実行可能であり得る。命令１０７４ａを実行することは、メモリ１０７２に記憶されたデータ１０７６ａの使用を含み得る。プロセッサ１０７８が命令１０７４ａを実行すると、命令１０７４ｂの様々な部分がプロセッサ１０７８上にロードされ得、様々ないくつかのデータ１０７６ｂがプロセッサ１０７８上にロードされ得る。
【０１１９】
[00128]ワイヤレス通信デバイス１００２はまた、ワイヤレス通信デバイス１００２との間での信号の送信および受信を可能にするために、送信機１０８０と受信機１０８２とを含み得る。送信機１０８０と受信機１０８２とはトランシーバ１０８４と総称されることがある。複数のアンテナ１０９２ａ〜ｎがトランシーバ１０８４に電気的に結合され得る。ワイヤレス通信デバイス１００２は、複数の送信機、複数の受信機、複数のトランシーバ、および／または追加のアンテナ（図示せず）をも含み得る。
【０１２０】
[00129]ワイヤレス通信デバイス１００２はデジタル信号プロセッサ（ＤＳＰ）１０８８を含み得る。ワイヤレス通信デバイス１００２は通信インターフェース１０９０をも含み得る。通信インターフェース１０９０は、ユーザがワイヤレス通信デバイス１００２と対話することを可能にし得る。
【０１２１】
[00130]ワイヤレス通信デバイス１００２の様々な構成要素は、電力バス、制御信号バス、ステータス信号バス、データバスなどを含み得る、１つまたは複数のバスによって互いに結合され得る。明快のために、図１０では様々なバスはバスシステム１０８６として示されている。
【０１２２】
[00131]上記の説明では、様々な用語とともに参照番号を時々使用した。用語が参照番号とともに使用されている場合、これは、図のうちの１つまたは複数に示された特定の要素を指すものとされ得る。用語が参照番号なしに使用されている場合、これは、概して特定の図に限定されない用語を指すものとされ得る。
【０１２３】
[00132]本明細書で説明した技法は、直交多重化方式に基づく通信システムを含む様々な通信システムに使用され得る。そのような通信システムの例としては、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【０１２４】
[00133]「決定」という用語は、多種多様なアクションを包含し、したがって、「決定」は、計算、算出、処理、導出、調査、ルックアップ（たとえば、テーブル、データベースまたは別のデータ構造でのルックアップ）、確認などを含むことができる。また、「決定」は、受信（たとえば、情報を受信すること）、アクセス（たとえば、メモリ中のデータにアクセスすること）などを含むことができる。また、「決定」は、解決、選択、選定、確立などを含むことができる。
【０１２５】
[00134]「に基づいて」という句は、別段に明示されていない限り、「のみに基づいて」を意味しない。言い換えれば、「に基づいて」という句は、「のみに基づいて」と「に少なくとも基づいて」の両方を表す。
【０１２６】
[00135]「結合する」という用語およびそれの変形は、要素間の直接または間接接続を示し得る。たとえば、第２の要素に結合された第１の要素は、第２の要素に直接接続されるか、または別の要素を通して第２の要素に間接的に接続され得る。
【０１２７】
[00136]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、デジタル信号プロセッサ（ＤＳＰ）とマイクロプロセッサとの組合せ、複数のマイクロプロセッサ、デジタル信号プロセッサ（ＤＳＰ）コアと連携する１つまたは複数のマイクロプロセッサ、あるいは他のそのような構成を指すことがある。
【０１２８】
[00137]「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【０１２９】
[00138]「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【０１３０】
[00139]本明細書で説明した機能は、１つまたは複数の命令としてプロセッサ可読媒体またはコンピュータ可読媒体上に記憶され得る。「コンピュータ可読媒体」という用語は、コンピュータまたはプロセッサによってアクセスされ得る任意の利用可能な媒体を指す。限定ではなく例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。コンピュータ可読媒体は有形で非一時的であり得ることに留意されたい。「コンピュータプログラム製品」という用語は、コンピューティングデバイスまたはプロセッサによって実行、処理または算出され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１３１】
[00140]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１３２】
[00141]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、本明細書で説明した方法の適切な動作のためにステップまたはアクションの特定の順序が必要とされない限り、特定のステップおよび／またはアクションの順序および／または使用は、特許請求の範囲を逸脱することなく修正され得る。
【０１３３】
[00142]さらに、図２および図５〜図７によって示されたものなど、本明細書で説明した方法および技法を実施するためのモジュールおよび／または他の適切な手段は、デバイスによってダウンロードおよび／または他の方法で取得され得ることを諒解されたい。たとえば、デバイスは、本明細書で説明した方法を実施するための手段の転送を可能にするために、サーバに結合され得る。代替的に、本明細書で説明した様々な方法は、デバイスが、記憶手段をそのデバイスに結合するかまたは与えると様々な方法を得ることがあるように、記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）によって与えられ得る。
【０１３４】
[00143]特許請求の範囲は、上記に示した正確な構成および構成要素に限定されないことを理解されたい。特許請求の範囲から逸脱することなく、本明細書で説明したシステム、方法、および装置の構成、動作および詳細において、様々な修正、変更および変形が行われ得る。
【図１】
2016504862.tif 000005
【図２】
2016504862.tif 000006
【図３】
2016504862.tif 000007
【図４】
2016504862.tif 000008
【図５】
2016504862.tif 000009
【図６】
2016504862.tif 000010
【図７】
2016504862.tif 000011
【図８】
2016504862.tif 000012
【図９】
2016504862.tif 000013
【図１０】
2016504862.tif 000014
【国際調査報告】
2016504862.tif 000015
2016504862.tif 000016
2016504862.tif 000017